(57)【要約】【課題】ハンドル装置に演出機能又は報知機能を好適に付与することができる遊技機を提供する。【解決手段】パチンコ機の前扉枠１４には遊技領域に向けて遊技球を発射すべく操作される遊技球発射ハンドル４５が設けられている。遊技球発射ハンドル４５は、前扉枠１４の枠体２０ａに固定されているベースユニット３１０と、前扉枠１４を構成するカバー体２０ｂの前方に位置するハンドルユニット３２０とを有している。カバー体２０ｂには、貫通孔４９が形成されており、両ユニット３１０，３２０は、この貫通孔４９を通じて前扉枠１４の内外に延びる連結機構３３０を介して一体化されている。ベースユニット３１０には、ハンドルユニット３２０の回動操作部材３２３に遊技者が触れているか否かを検知するタッチセンサ３１４が内蔵され、回動操作部材３２３及びタッチセンサ３１４は連結部材３３１，３４１を介して電気的に繋がっている。【選択図】      図１１
2015013064.tif 000002
【特許請求の範囲】
【請求項１】
遊技機前面部を構成する遊技機前面体と、
前記遊技機前面体に設けられ、遊技領域に向けて遊技球を発射すべく操作される操作手段と
を備えた遊技機であって、
前記遊技機前面体は、
枠部と、
当該枠部を遊技機前方から覆うカバー部と
を有してなり、
前記操作手段は、
遊技枠部に固定されている基部と、
前記カバー部の前方に配置されたハンドル部と、
前記カバー部に形成された開口部を介して前記基部及び前記ハンドル部を連結する連結部と
を有し、
前記操作を検知する検知手段が、前記基部に配置されていることを特徴とする遊技機。
【請求項２】
前記開口部は、前記連結部に当接することにより、前記連結部の変位を規制する規制手段として機能することを特徴とする請求項１に記載の遊技機。
【請求項３】
前記ハンドル部は前記連結部を介して前記検知手段に電気的に繋がっており、それらハンドル部、連結部によって前記検知手段用の信号伝達経路が構成されていることを特徴とする請求項１又は請求項２に記載の遊技機。
【請求項４】
前記連結部は導電性部材によって形成されており、前記カバー部は非導電性部材によって形成されていることを特徴とする請求項３に記載の遊技機。
【発明の詳細な説明】
【技術分野】
【０００１】
本発明は、遊技機に関するものである。
【背景技術】
【０００２】
パチンコ機等の遊技機には、遊技機本体の前面部にハンドル装置を備え、当該ハンドル装置が操作されることで発射装置が動作し、遊技領域へ遊技球が発射されるものがある（例えば特許文献１参照）。
【先行技術文献】
【特許文献】
【０００３】
【特許文献１】特開２００９−１６０２３０号公報
【発明の概要】
【発明が解決しようとする課題】
【０００４】
近年では、ハンドル装置に演出や報知等機能が付与され、遊技への注目度の向上が図られているものがある。但し、ハンドル装置の内部にこのような構成を内蔵しようとした場合には、そのスペースが限られている点やハンドル装置が片持ちになっている（強度担保）点等に配慮して上記機能を充実させる上でその構造に未だ改善の余地がある。
【０００５】
本発明は、以上例示した事情等を鑑みてなされたものであり、ハンドル装置に演出機能又は報知機能を好適に付与することができる遊技機を提供することを目的とするものである。
【課題を解決するための手段】
【０００６】
以下、上記課題を解決するための手段について記載する。
【０００７】
請求項１に記載の発明は、
遊技機前面部を構成する遊技機前面体と、
前記遊技機前面体に設けられ、遊技領域に向けて遊技球を発射すべく操作される操作手段と
を備えた遊技機であって、
前記遊技機前面体は、
枠部と、
当該枠部を遊技機前方から覆うカバー部と
を有してなり、
前記操作手段は、
遊技枠部に固定されている基部と、
前記カバー部の前方に配置されたハンドル部と、
前記カバー部に形成された開口部を介して前記基部及び前記ハンドル部を連結する連結部と
を有し、
前記操作を検知する検知手段が、前記基部に配置されていることを特徴とする。
【発明の効果】
【０００８】
ハンドル装置に演出機能又は報知機能を好適に付与することができる。
【図面の簡単な説明】
【０００９】
【図１】一実施の形態におけるパチンコ機を示す正面図である。
【図２】パチンコ機を斜め前方から見た斜視図である。
【図３】パチンコ機の主要な構成を展開して示す斜視図である。
【図４】パチンコ機の主要な構成を展開して示す斜視図である。
【図５】内枠の構成を示す正面図である。
【図６】遊技盤の構成を示す正面図である。
【図７】内枠の構成を示す背面図である。
【図８】遊技盤の背面構成を示す斜視図である。
【図９】裏パックユニットの構成を示す正面図である。
【図１０】（ａ）図１の部分拡大図、（ｂ）遊技球発射ハンドルを示す斜視図である。
【図１１】（ａ）遊技球発射ハンドルの主要な構成を示す斜視図、（ｂ）遊技球発射ハンドルの縦断面図である。
【図１２】（ａ）ロック状態を示す概略図、（ｂ）アンロック状態を示す概略図である。
【図１３】（ａ）初期状態を示す概略図、（ｂ），（ｃ）位置調整後の状態を示す概略図である。
【発明を実施するための形態】
【００１０】
以下、遊技機の一種であるパチンコ遊技機（以下、「パチンコ機」という）の一実施の形態を、図面に基づいて詳細に説明する。図１はパチンコ機１０の正面図、図２はパチンコ機１０を斜め前方から見た斜視図、図３及び図４はパチンコ機１０の主要な構成を展開して示す斜視図である。なお、図３では便宜上パチンコ機１０の遊技領域内の構成を省略している。
【００１１】
図１に示すように、パチンコ機１０は、当該パチンコ機１０の外殻を形成する外枠１１と、この外枠１１に取り付けられた遊技機主部１２とを有している。
【００１２】
外枠１１は木製の板材を四辺に連結し構成されるものであって矩形枠状をなしている。パチンコ機１０は、外枠１１を島設備に取り付け固定することにより、遊技場の島設備に設置される。なお、パチンコ機１０において外枠１１は必須の構成ではなく、遊技場の島設備に外枠１１が備え付けられた構成としてもよい。
【００１３】
この外枠１１によって遊技機主部１２が開閉可能な状態で支持されている。具体的には、図２に示すように、外枠１１における上枠部と左枠部との連結部分に上側支持用金具１７が固定されており、さらに外枠１１における下枠部と左枠部との連結部分に下側支持用金具１８が固定されている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている。
【００１４】
図３に示すように、遊技機主部１２は、ベース体としての内枠１３と、その内枠１３の前方に配置される前扉枠１４と、内枠１３の後方に配置される裏パックユニット１５（図４参照）とを備えている。なお、遊技機主部１２のうち内枠１３が外枠１１に対して回動可能に支持されている。
【００１５】
内枠１３における回動基端側の端部には、前扉枠１４が回動可能に取り付けられており、同前扉枠１４は正面視で左側を回動基端側とし右側を回動先端側として前方へ回動可能とされている。また、内枠１３における回動基端側の端部には、図４に示すように、裏パックユニット１５が回動可能に取り付けられており、同裏パックユニット１５が正面視で左側を回動基端側とし右側を回動先端側として後方へ回動可能とされている。
【００１６】
次に、前扉枠１４について説明する。なお、以下の説明では、図１及び図２を参照するとともに、前扉枠１４の背面の構成については図３及び図５を参照する。図５は前扉枠１４を背面側から見た分解斜視図である。
【００１７】
図３に示すように、前扉枠１４は、外形が外枠１１とほぼ同一形状をなす合成樹脂製の枠体２０ａ及び枠体２０ａの前面を覆うカバー体２０ｂを主体に構成されており、内枠１３における前面側のほぼ全域を覆っている。前扉枠１４の中央部分には後述する遊技領域ＰＥのほぼ全域を遊技機前方から視認することができるようにした略楕円状の窓部２１（図１参照）が形成されており、その窓部２１はガラスユニット３０によって同前扉枠１４の背面側から覆われている。
【００１８】
ガラスユニット３０は、透明性を有する複数のガラスパネル３１と、それらガラスパネル３１を保持するガラスホルダとにより構成されている。ガラスホルダ３３は、窓部２１に沿って形成された環状の枠部を有しており、同枠部によって囲まれた領域にガラスパネル３１が収容されている。
【００１９】
各ガラスパネル３１は、枠部に形成された仕切り部を挟んで相対向した状態で、同仕切り部に対して接着されている。これにより、ガラスパネル３１の間に所定の隙間が確保され、ガラスパネル３１同士の干渉を回避しつつ、それらガラスパネル３１によって遊技領域ＰＥがパチンコ機１０の正面側から２重に覆われた状態となっている。
【００２０】
図１に示したように、窓部２１の周囲には各種ランプ等の発光手段が設けられている。例えば、窓部２１の周縁に沿ってＬＥＤ等の発光手段を内蔵した環状電飾部２４が設けられている。環状電飾部２４では、大当たり時や所定のリーチ時等における遊技状態の変化に応じて点灯や点滅が行われる。より詳しくは、環状電飾部２４の中央であってパチンコ機１０の最上部には所定のエラー時に点灯する機能が付与されたトップランプ部２５が設けられ、窓部２１の左右両側には賞球払出中に点灯する機能が付与されたサイドランプ部２６が設けられている。また、トップランプ部２５の左右両側には、遊技状態に応じた効果音などが出力されるスピーカ部２７が設けられている。
【００２１】
再び図２を参照して説明すれば、前扉枠１４における窓部２１の下方には、手前側へ膨出した上側膨出部２８と下側膨出部２９とが上下に並設されている。上側膨出部２８には上方に開口した上皿２８ａが設けられており、下側膨出部２９には同じく上方に開口した下皿２９ａが設けられている。上皿２８ａは、後述する払出装置より払い出された遊技球を一旦貯留し、一列に整列させながら後述する遊技球発射機構側へ導く機能を有している。また、下皿２９ａは、上皿２８ａ内にて余剰となった遊技球を貯留する機能を有している。
【００２２】
下側膨出部２９と横並びとなる位置には、手前側へ突出するようにして遊技球発射ハンドル４５が設けられている。遊技球発射ハンドル４５が操作されることにより、後述する遊技球発射機構から遊技球が発射される。
【００２３】
前扉枠１４の背面には、図３に示すように、通路形成ユニット５０が取り付けられている。通路形成ユニット５０は、合成樹脂により成形されており、上皿２８ａに通じる前扉側上皿通路と、下皿２９ａ（図２等参照）に通じる前扉側下皿通路とが形成されてなる。通路形成ユニット５０の上側隅部には後方に突出し上方に開放された受口部５３が形成されており、当該受口部５３を仕切壁５４によって左右に仕切ることで前扉側上皿通路と前扉側下皿通路の入口部分とが形成されている。前扉側上皿通路及び前扉側下皿通路は上流側が後述する遊技球分配部に通じており、前扉側上皿通路に入った遊技球は上皿２８ａに導かれ、前扉側下皿通路に入った遊技球は下皿２９ａに導かれる。
【００２４】
次に、図５に基づき内枠１３について詳細に説明する。図５は内枠１３の正面図である。なお、図５においては、図３と同様にパチンコ機１０の遊技領域内の構成を省略している。
【００２５】
内枠１３は、外形が外枠１１とほぼ同一形状をなす樹脂ベース６０を主体に構成されている。樹脂ベース６０の前面における回動基端側（図５の左側）には、その上端部及び下端部に支持金具７１，７２が取り付けられている。また、前扉枠１４の背面における回動基端側（図２の左側）には、それら支持金具７１，７２に対応させて軸受け金具５７，５８が設けられている。支持金具７１，７２には軸部が形成されており、それら軸部が前扉枠１４の軸受け金具５７，５８の軸受け孔に挿入されることで内枠１３に対して前扉枠１４が回動可能に支持されている。つまり、これら支持金具７１，７２及び軸受け金具５７，５８は内枠１３に対する組付機構を構成している。
【００２６】
内枠１３の前面には施錠装置７５が設けられている。施錠装置７５は、前扉枠１４に向けて延びる複数の前扉用鉤部材７６を有している。これら前扉用鉤部材７６に対応させて、前扉枠１４の背面には内枠１３側に延びる鉤受け部材５９が複数設けられている（図３参照）。前扉用鉤部材７６が鉤受け部材５９に引っ掛かることにより前扉枠１４が閉じた状態で施錠される。また、図４に示すように、施錠装置７５は、内枠１３の後方へ延びる内枠用鉤部材７７を有している。これら内枠用鉤部材７７が外枠１１の鉤受け部材１９に引っ掛かることにより遊技機主部１２が外枠１１に対して閉じた状態で施錠される。
【００２７】
再び図７を参照して説明すれば、樹脂ベース６０の右下隅部には、施錠装置７５の解錠操作を行うためのシリンダ錠７８が設置されている。シリンダ錠７８は施錠装置７５に一体化されており、その先端部分（鍵穴部分）が上記前扉枠１４に設けられた孔部を通じてパチンコ機１０の前方に露出している。シリンダ錠７８の鍵穴に差し込んだキーを右に回すことで内枠１３に対する前扉枠１４の施錠が解除され、同キーを左に回すことで外枠１１に対する内枠１３の施錠が解除される。
【００２８】
樹脂ベース６０の前面における略中央部分には、遊技盤８０を収容する遊技盤収容部６１が形成されている。遊技盤収容部６１は、パチンコ機１０の後方に凹み、遊技盤８０を収容する収容空間を区画形成しており、樹脂ベース６０に取り付けられた遊技盤８０がその収容空間に嵌まった状態となっている。
【００２９】
遊技盤収容部６１は、遊技盤８０の背面に対向する平板状の対向板部６２と、同対向板部６２から遊技機前方へ起立し遊技盤８０の周縁に沿って延びる周壁部６３とによって構成されている。対向板部６２は、その略中央に中央開口６４が形成されており、内枠１３の正面視において略矩形枠状をなしている。周壁部６３は、遊技盤８０における上下左右の各端面に対して個々に対向する上側壁部６５，下側壁部６６，左側壁部６７，右側壁部６８が連なってなり、全体として遊技盤８０を囲む環状をなしている。なお、周壁部６３は中央開口６４を囲むようにして形成されているとも言える。
【００３０】
遊技盤８０は、木製の合板と同合板における前側の板面を覆うセルシートとを有してなり、その前面が遊技盤収容部６１の開放部分を通じて樹脂ベース６０の正面側に露出している。この露出している部位、すなわち遊技盤８０の前面には、遊技球が流下する遊技領域ＰＥが形成されている。既に説明したように遊技領域ＰＥはガラスユニット３０（詳しくはガラスパネル３１）によって覆われている。後側のガラスパネル３１は、遊技盤８０の前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０は木製に限定されるものではなく、合成樹脂製とすることも可能である。
【００３１】
以下、図６に基づき遊技盤８０（特に遊技領域ＰＥに配された各種構成）について説明する。図６は遊技盤８０の正面図である。
【００３２】
遊技盤８０には、ルータ加工が施されることによって自身の厚さ方向（前後方向）に貫通する大小複数の開口が形成されている。各開口には、一般入賞口８１、可変入賞装置８２、作動口８３ａ，８３ｂ、スルーゲート８４、可変表示ユニット８５、メイン表示部９０等がそれぞれ設けられている。一般入賞口８１、可変入賞装置８２及び作動口８３ａ，８３ｂに遊技球が入ると、それら遊技球が後述する検知スイッチにより検知され、その検知結果に基づいて所定数の賞球の払い出しが実行される。その他に、遊技盤８０の最下部にはアウト口８６が設けられており、各種入賞口等に入らなかった遊技球はアウト口８６を通って遊技領域ＰＥから排出される。
【００３３】
また、遊技盤８０には、遊技球の流下経路を適宜分散，調整等するために多数の釘８７が植設されているとともに、風車等の各種部材（役物）が配設されている。これら釘８７や風車等の各種構成によって、遊技球の流下経路が分化され、上述した一般入賞口８１等への入賞が適度な確率で発生するように調整されている。
【００３４】
可変入賞装置８２は、通常は遊技球が入賞できない又は入賞し難い閉状態になっており、大当たりの際に遊技球が入賞しやすい所定の開放状態に切り換えられるようになっている。可変入賞装置８２の開放態様としては、所定時間（例えば３０秒間）の経過又は所定個数（例えば１０個）の入賞を１ラウンドとして、同可変入賞装置８２の開放が複数ラウンド（例えば１５ラウンド）を上限として繰り返されるように設定されている。
【００３５】
可変表示ユニット８５は遊技盤８０の中央上寄りに配置されており、その下方に作動口８３ａ，８３ｂが配置されている。より詳しくは、作動口８３ａ，８３ｂは、作動口８３ａを上側、作動口８３ｂを下側として上下に並設されている。下側の作動口８３ｂには、左右一対の可動片よりなるガイド片（サポート片）としての電動役物が設けられている。電動役物は、作動口８３ｂへの入球が不可又は困難となる閉鎖状態（非サポート状態又は非ガイド状態）と、当該閉鎖状態よりも遊技球の入球が容易となる開放状態（サポート状態又はガイド状態）とに切り替え可能となっており、上記スルーゲート８４への入賞に基づく抽選に当選した場合に主制御装置によって開放状態となるように制御される。電動役物の開閉態様としては、上側の作動口８３ａよりも下側の作動口８３ｂへの入賞頻度が低くなるように設定された低頻度サポートモードと、上側の作動口８３ａよりも下側の作動口８３ｂへの入賞頻度が高くなるように設定された高頻度サポートモードとが設定されており、各作動口８３ａ，８３ｂへの入球に基づく抽選によって所定の当たり結果となった場合に低頻度サポートモードから高頻度サポートモードへ移行される構成となっている。
【００３６】
可変表示ユニット８５及び作動口８３ａ，８３ｂは、遊技性を司る部位であり遊技者の注意が集まりやすい。それら可変表示ユニット８５及び作動口８３ａ，８３ｂを遊技機中央において上下に並べて配置することで両者間での視線の移動量を抑え、遊技者の目に生じる負担の低減に貢献している。
【００３７】
メイン表示部９０は、遊技領域ＰＥの下部側の外縁に沿って配設された装飾部材、詳しくは後述する誘導レールとともに遊技領域ＰＥを区画形成する遊技領域区画部材に設けられている。装飾部材は、遊技盤８０の盤面からパチンコ機１０前方に延出している。より具体的には、装飾部材の前面は、遊技領域ＰＥをパチンコ機１０前方から視認可能とするために前扉枠１４に設けられたガラスパネル３１と対向しており、さらにガラスパネル３１との間の距離は遊技球１個分よりも狭くなっている。これにより、装飾部材の前面の前方を遊技球が落下していくのが防止されている。
【００３８】
メイン表示部９０は装飾部材の前面から露出するようにして設けられている。これにより、メイン表示部９０を前扉枠１４のガラスユニット３０を通じてパチンコ機１０前方から視認可能となっているとともに、当該メイン表示部９０の前方を遊技球が落下していくことが抑制されている。
【００３９】
図示による詳細な説明は省略するが、メイン表示部９０は複数の発光体を有してなり、それら発光体群によって作動口用結果表示部、役物用結果表示部、上作動口８３ａ用の保留数表示部、下作動口８３ｂ用の保留数表示部、スルーゲート８４用の保留数表示部が構成されている。
【００４０】
作動口用結果表示部は、各作動口８３ａ，８３ｂに１対１で対応させて上作動口用の表示領域と下作動口用の表示領域と有しており、これら表示領域において、上作動口８３ａ又は下作動口８３ｂへの入賞に基づいて行われた内部抽選の結果が明示される。この場合、同表示領域では、作動口８３ａ，８３ｂへの入賞をトリガとして、各発光体における点灯及び消灯を順次行うことによる絵柄の変動表示（可変表示）が行われ、その変動表示の停止結果として、同入賞に基づいて行われた内部抽選の結果が明示される。つまり、上作動口８３ａへの入賞に基づく抽選結果は上作動口用の表示領域にて明示され、下作動口８３ｂへの入賞に基づく抽選結果は下作動口用の表示領域にて明示される。
【００４１】
役物用結果表示部は、スルーゲート８４への入賞に基づいて行われた内部抽選の結果を明示するための表示部である。この場合、役物用結果表示部では、スルーゲート８４への入賞をトリガとして、発光体群の点灯及び消灯を順次行うことによる絵柄の変動表示（又は、可変表示若しくは切換表示）が行われ、その変動表示の停止結果として、スルーゲート８４への入賞に基づいて行われた内部抽選の結果が表示によって明示される。スルーゲート８４への入賞に基づく内部抽選の結果が電役開放状態への移行に対応した当選結果であった場合には、役物用結果表示部にて所定の停止結果が表示されて変動表示が停止された後に、電役開放状態へ移行する。電役開放状態では、下作動口８３ｂに設けられた電動役物８３ｃが所定の態様で開放状態となる。
【００４２】
また、遊技球が作動口８３ａ，８３ｂを通過した回数は最大４回まで保留され、各作動口用の保留数表示部によってその保留個数が表示されるようになっている。同様に、遊技球がスルーゲート８４を通過した回数は最大４回まで保留され、スルーゲート用の保留数表示部によってその保留個数が表示されるようになっている。
【００４３】
可変表示ユニット８５は、作動口８３ａ，８３ｂへの入賞をトリガとして図柄を可変表示する図柄表示装置９４を備えている。図柄表示装置９４は、液晶ディスプレイ（表示画面９４ａ）を備えた液晶表示装置として構成されており、後述する表示制御装置によりその表示内容が制御されている。具体的には、表示画面９４ａにおいては、上段，中段及び下段に並べて図柄が表示され、これらの図柄が左右方向にスクロールされるようにして変動表示される。そして、大当たり発生時には、予め設定されている有効ライン上に所定の組合せの図柄が停止表示され、特別遊技状態へと移行される。なお、表示画面９４ａにおける表示態様を以下のように変更してもよい。すなわち、左，中及び右に並べて図柄を表示し、それら図柄を上下スクロールさせるようにして変動表示させてもよい。
【００４４】
また、可変表示ユニット８５は、図柄表示装置９４を囲むようにして形成されたセンターフレーム９５を備えており、このセンターフレーム９５によって遊技領域ＰＥを流下する遊技球が図柄表示装置９４に衝突することが回避されている。
【００４５】
再び図５を用いて説明すれば、樹脂ベース６０における遊技盤収容部６１（遊技盤８０）の下方には、遊技球発射ハンドル４５の操作に基づいて遊技領域ＰＥへ遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が後述する補強プレートを介して樹脂ベース６０に取り付けられている。
【００４６】
発射レール１１２は、遊技盤８０側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００４７】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤８０側、詳しくは遊技盤８０に装着された誘導レール１００に向けて打ち出される。
【００４８】
誘導レール１００は、上記遊技領域区画部材とともに遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分１０４と、遊技領域ＰＥの上部に位置する出口部分１０５とを有している。ソレノイド１１１の動作に基づいて発射された遊技球は、発射レール１１２→誘導レール１００（入口部分１０４→出口部分１０５）の順に移動することにより遊技領域ＰＥに導かれる。なお、遊技盤８０において出口部分１０５の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００４９】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。
【００５０】
誘導レール１００は、遊技球発射ハンドル４５が遊技球を遊技領域ＰＥに到達させることができる程度に操作された場合に、すなわち遊技球発射ハンドル４５の操作量が第１の規定量を超えた場合に、発射レール１１２から打ち出された遊技球が当該誘導レール１００の入口部分１０４、詳しくは外レール１０２において発射レール１１２の延長上に位置する特定部位に着地するように形成されている。
【００５１】
外レール１０２は、その特定部位における接線の向きが発射レール１１２のレール方向と略同一となるように形成されている。発射された遊技球の移動方向と、特定部位における接線の方向とを揃えることにより、遊技球の着地によって生じる衝撃を低減するとともに同遊技球の跳ね返りを抑え、誘導レール１００によるそれら遊技球の円滑な誘導を可能としている。
【００５２】
なお、外レール１０２は、当該外レール１０２を遊技盤８０に対して固定する固定手段として複数の固定ピンを備えている。固定ピンは外レール１０２に沿って配設されており、それら固定ピンの間に上記特定部位が設定されている。これにより、特定部位での外レール１０２の若干の撓み変形（弾性変形）を許容し、同特定部位に遊技球が着地した際の衝撃を低減することが可能となっている。
【００５３】
図５に示すように、誘導レール１００及び発射レール１１２は、同誘導レール１００の入口部分１０４と発射レール１１２の先端部分とが遊技盤８０の下端縁を挟んで斜めに対峙するように配置されている。つまり、それら両レール１００，１１２は、同誘導レール１００の入口部分１０４と発射レール１１２の先端部分とが遊技盤８０の下端縁近傍にて左右にずれるようにして配置されている。これにより両レール１００，１１２を遊技盤８０の下端縁に近づけつつ、誘導レール１００の入口部分１０４と発射レール１１２との間には所定間隔の隙間を形成している。
【００５４】
このようにして形成された隙間よりも下側にはファール球通路５５（図３参照）が配設されている。ファール球通路５５は前扉枠１４の通路形成ユニット５０に一体成形されている。仮に遊技球発射機構１１０から発射された遊技球が遊技領域ＰＥまで至らずファール球として誘導通路１０３内を逆戻りする場合には、それらファール球が上記隙間を介してファール球通路５５内に入ることとなる。ファール球通路５５は前扉側下皿通路５２に通じており、ファール球通路５５に入った遊技球は図１等に示した下皿２９ａに排出される。これにより、ファール球と次に発射される遊技球との干渉が抑制される。
【００５５】
また、樹脂ベース６０には、遊技盤収容部６１からの遊技盤８０の取り外しを不可とするロック状態と、同遊技盤８０の取り外しを許容するアンロック状態とに切替可能なロック装置が複数設けられている。ロック装置はロック状態にて遊技盤８０の前面に当接する当接部を有しており、同当接部が遊技盤８０の前面に当接することによって遊技盤８０の前扉枠１４側への変位が抑えられることとなる。
【００５６】
樹脂ベース６０において発射レール１１２の左方（詳しくは前扉枠１４を支持している側）には樹脂ベース６０を前後方向に貫通する貫通孔が形成されており、この貫通孔を覆うようにして通路形成部材１２１が配設されている。通路形成部材１２１は、樹脂ベース６０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前扉枠１４に取り付けられた通路形成ユニット５０の受口部５３（図３参照）が入り込んでおり、本体側上皿通路１２２の下方には前扉側上皿通路が配置され、本体側下皿通路１２３の下方には前扉側上皿通路５１が配置される。
【００５７】
樹脂ベース６０において通路形成部材１２１の下方には、本体側上皿通路１２２及び本体側下皿通路１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能な状態で樹脂ベース６０によって支持されている。また、樹脂ベース６０にはシャッタ１２４を阻止位置に向けて付勢する付勢部材が取り付けられており、前扉枠１４を内枠１３に対して開いた状態では付勢部材の付勢力によってシャッタ１２４が阻止位置に留まる構成となっている。これにより、本体側上皿通路１２２又は本体側下皿通路１２３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた受口部５３により上記付勢力に抗してシャッタ１２４が許容位置に押し戻される。この状態では、本体側上皿通路１２２及び前扉側上皿通路５１と、本体側下皿通路１２３及び前扉側下皿通路５２とがそれぞれ連通し、遊技球の移動が許容されることとなる。
【００５８】
次に、図７に基づき内枠１３（樹脂ベース６０及び遊技盤８０）の背面構成について説明する。図７は内枠１３の背面図である。
【００５９】
樹脂ベース６０の背面における回動基端側（図７の右側）には、軸受け金具１３２が取り付けられている。軸受け金具１３２には、上下に離間させて軸受け部１３３が形成されており、これら軸受け部１３３により内枠１３に対して裏パックユニット１５が回動可能に取り付けられている。また、樹脂ベース６０の背面には、裏パックユニット１５を内枠１３に固定するための固定レバー１３４が複数設けられている。
【００６０】
既に説明したように樹脂ベース６０における遊技盤収容部６１の底部分（すなわち上記対向板部６２）には樹脂ベース６０の厚さ方向に貫通し同樹脂ベース６０の背面側に開放された中央開口６４が形成されており、その中央開口６４が遊技盤収容部６１に収容された遊技盤８０によって内枠１３の正面側から覆われている。遊技盤８０の背面には制御装置等の各種構成が搭載されており、それら各種構成は中央開口６４を通じて内枠１３の背面側に露出した状態となっている。ここで、図８に基づき遊技盤８０の背面の構成について詳細に説明する。図８は遊技盤８０を後方から見た斜視図である。
【００６１】
遊技盤８０の背面には、可変表示ユニット８５（図６参照）を遊技盤８０に対して搭載する合成樹脂製の台座部材１４１が固定されている。台座部材１４１は、遊技盤８０側に開放された略箱状をなしており遊技盤８０の背面のほぼ全域を覆っている。台座部材１４１の一部は樹脂ベース６０の中央開口６４を通じて同樹脂ベース６０の背面側に突出しており、その突出した部分に対して上述した図柄表示装置９４（図６参照）と、その図柄表示装置９４を駆動するための表示制御装置とが取り付けられている。これら図柄表示装置９４及び表示制御装置は前後方向（樹脂ベース６０の厚さ方向）に図柄表示装置が前側且つ表示制御装置が後側となるように重ねて配置されている。さらに、遊技盤８０には、表示制御装置の後方に位置するようにして報知・演出制御装置ユニット１４２が搭載されている。報知・演出制御装置ユニット１４２は、報知・演出制御装置１４３と、取付台１４４とを具備する構成となっており、取付台１４４上に報知・演出制御装置１４３が装着されている。
【００６２】
報知・演出制御装置１４３は、後述する主制御装置からの指示に従い音声やランプ表示、及び表示制御装置の制御を司る報知・演出制御基板を具備しており、報知・演出制御基板が透明樹脂材料等よりなる基板ボックス１４５に収容されて構成されている。
【００６３】
報知・演出制御装置ユニット１４２の下方には、台座部材１４１を後方から覆うようにして主制御装置ユニット１６０が設けられている。主制御装置ユニット１６０は、遊技盤８０の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００６４】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部１６４によって開封不能に連結され、これにより基板ボックス１６３が封印されている。ボックス封印部１６４は、基板ボックス１６３の短辺部に複数設けられ、そのうち少なくとも１つが用いられて封印処理が行われる。
【００６５】
ボックス封印部１６４はボックスベースとボックスカバーとを開封不能に結合する構成であれば任意の構成が適用できるが、ボックス封印部１６４を構成する係止孔部に係止ピンを挿入することでボックスベースとボックスカバーとが開封不能に結合されるようになっている。ボックス封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部１６４のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００６６】
基板ボックス１６３と取付台１６１とは台座封印部１６５によって開封不能に連結されている。詳しくは、台座封印部１６５は、ボックス封印部１６４と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００６７】
台座部材１４１において遊技盤８０の背面と対向している部分には、前記一般入賞口８１，可変入賞装置８２，上作動口８３ａ，下作動口８３ｂの遊技盤開口部に対応し且つ下流側で１カ所に集合する回収通路が形成されている。これにより、一般入賞口８１等に入賞した遊技球は何れも回収通路を介して遊技盤８０の下方に集合する構成となっている。つまり、台座部材１４１には各種入賞口に入賞した遊技球を回収する機能が付与されている。
【００６８】
遊技盤８０の下方には後述する排出通路が配されており、回収通路によって遊技盤８０の下方に集合した遊技球は排出通路内に導出される。なお、アウト口８６についても同様に排出通路に通じており、何れの入賞口にも入賞しなかった遊技球はアウト口８６を介して排出通路内に導出される。
【００６９】
また、上記回収通路には、遊技盤８０表側の一般入賞口８１に入賞した遊技球を検知する入賞口スイッチと、可変入賞装置８２に入賞した遊技球を検知するカウントスイッチと、作動口８３ａ，８３ｂに入った遊技球を検知する作動口スイッチとが装着されており、それら各種スイッチによって入賞検知機構が構成されている。更に、台座部材１４１において可変表示ユニット８５の左右両側には、スルーゲート８４を通過する遊技球を検知するゲートスイッチが設けられている。これら各種スイッチは主制御装置１６２に対して電気的に接続されており、各スイッチによる検知情報が同主制御装置１６２に出力される構成となっている。
【００７０】
次に、図４及び図９に基づき裏パックユニット１５について説明する。図９は裏パックユニット１５の正面図である。
【００７１】
図４に示したように、内枠１３は裏パックユニット１５によって後方から覆われている。裏パックユニット１５は、図９に示すように、裏パック２０１を備えており、当該裏パック２０１に対して、払出機構部２０２、排出通路盤及び制御装置集合ユニット２０４が取り付けられている。
【００７２】
裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８５を囲むのに十分な大きさを有する。
【００７３】
ベース部２１１には、その右上部に外部出力端子板２１３が設けられている。外部出力端子板２１３には各種の出力端子が設けられており、これらの出力端子を通じて遊技ホール側の管理制御装置（ホールコンピュータＨＣ）へ各種信号が出力される。また、ベース部２１１にはパチンコ機１０後方からみて右端部に上下一対の掛止ピン２１４が設けられており、掛止ピン２１４を内枠１３に設けられた前記軸受け部１３３に挿通させることで、裏パックユニット１５が内枠１３に対して回動可能に支持されている。ベース部２１１には、内枠１３に設けられた固定レバー１３４が挿通される複数の挿通部２１５が形成されており、固定レバー１３４が挿通部２１５に挿通された状態にてベース部２１１に後方から当接することにより内枠１３に対して裏パックユニット１５が固定されている。
【００７４】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００７５】
遊技球分配部２２５は、払出装置２２４より払い出された遊技球を上皿２８ａ、下皿２９ａ又は後述する排出通路の何れかに振り分けるための機能を有し、内側の開口部が上述した本体側上皿通路１２２及び前扉側上皿通路を介して上皿２８ａに通じ、外側の開口部が本体側下皿通路１２３及び前扉側下皿通路を介して下皿２９ａに通じるように形成されている。
【００７６】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００７７】
制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００７８】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００７９】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４５の操作に伴う遊技球の打ち出しの制御が行われる。また、電源・発射制御装置２４３には電源スイッチ２４７が設けられている。電源スイッチ２４７を操作することにより、パチンコ機１０の電源を投入状態（オン状態）又は遮断状態（オフ状態）に切り替え可能となっている。
【００８０】
ここで、本パチンコ機１０（詳しくは主制御装置１６２）は各種データの記憶保持機能を有しており、万一停電が発生した際でも停電時の状態を保持し、停電からの復帰の際には停電時の状態に復帰できるようになっている。例えば遊技ホールの営業終了の場合のように通常手順で電源を遮断すると遮断前の状態が記憶保持される。上記主制御装置１６２には、ＲＡＭ消去スイッチ１６６が設けられている。当該ＲＡＭ消去スイッチ１６６を押しながら電源を投入すると、主制御装置１６２に記憶されているＲＡＭデータが初期化されるようになっている。
【００８１】
＜遊技球発射ハンドル４５＞
本実施の形態においては、遊技球発射ハンドル４５及びそれに関連する構成が特徴的なものとなっている。そこで以下、図１０及び図１１を参照して、遊技球発射ハンドル４５について説明する。図１０（ａ）は図１の部分拡大図、図１０（ｂ）は遊技球発射ハンドル４５の正面斜視図、図１１（ａ）は遊技球発射ハンドル４５の主要な構成を示す斜視図、図１１（ｂ）は遊技球発射ハンドル４５の縦断面図である。なお、図１０（ｂ）においては遊技球発射ハンドル４５を操作している手及び前扉枠１４を２点鎖線によって表示し、図１１（ｂ）においては枠体２０ａ及びカバー体２０ｂを２点鎖線によって表示している。
【００８２】
図１０に示すように、遊技球発射ハンドル４５は、前扉枠１４の前面部分（詳しくは上記カバー体２０ｂ）から遊技機前方に突出して設けられたハンドルユニット３２０を備えている。図１０（ｂ）に示すように、ハンドルユニット３２０とカバー体２０ｂとの間には指を挿入可能な隙間が確保されており、例えばハンドルユニット３２０を包み込むようにして握ることが可能となっている。なお、当該隙間は後述するハンドルユニット３２０の位置調整を行った場合であっても指が挿入可能となるように設定されている。
【００８３】
ハンドルユニット３２０は、その外郭を形成する前部カバー３２１及び後部カバー３２２と、遊技球の発射操作に際して回動操作される回動操作部材３２３とを有し、前後に組み合わされたカバー３２１，３２２によって回動操作部材３２３が挟まれた状態でユニット化されている。
【００８４】
遊技球発射ハンドル４５は前扉枠１４（枠体２０ａ，カバー体２０ｂ）とは別体で設けられ、当該前扉枠１４に着脱可能に取り付けられている。以下、図１１を参照して遊技球発射ハンドル４５の取付構造について説明する。
【００８５】
遊技球発射ハンドル４５は、前扉枠１４の枠体２０ａに固定されるベースユニット３１０を備えている。ベースユニット３１０は、枠体２０ａへの固定対象としての取付ベース３１１を有し、この取付ベース３１１がネジ等の固定具を用いて枠体２０ａに固定されることにより当該枠体２０ａ（前扉枠１４）と一体化されている。
【００８６】
ベースユニット３１０は、当該ベースユニット３１０とハンドルユニット３２０とを連結する連結機構３３０を備えている。つまり、遊技機前方に突出しているハンドルユニット３２０は連結機構３３０を介してベースユニット３１０に取り付けられている。
【００８７】
連結機構３３０は、ベースユニット３１０（詳しくは取付ベース３１１）に固定されたベース側連結部材３３１と、ハンドルユニット３２０に固定されたハンドル側連結部材３４１とによって構成され、これら両連結部材３３１，３４１が連結されることによりベースユニット３１０とハンドルユニット３２０とを繋いでいる。
【００８８】
図１１（ｂ）に示すように、ハンドル側連結部材３４１は前後に延びる円筒状の軸部３３２を有し、その後端部が取付ベース３１１に固定されている。軸部３３２の前端部には略半球状をなす拡径部３３４が形成されており、この拡径部３３４には上記軸部３３２の内部空間に連通する開口部３３５が形成されている。
【００８９】
一方、ハンドル側連結部材３４１については、ベース側連結部材３３１の中心軸線ＣＬ（ＣＬＢ）と中心軸線が重なるように形成された円筒状の軸部３４２を有しており、その後端部には、上記拡径部３３４に対向する半球状部３４４が形成されている。これら拡径部３３４及び半球状部３４４は、前扉枠１４の枠体２０ａとカバー体２０ｂとによって挟まれた領域内に収容されている。半球状部３４４が上記拡径部３３４に嵌ることにより、両連結部材３３１，３４１が一連となるように構成されているが、この詳細な連結構造については後述する。
【００９０】
カバー体２０ｂには、遊技機前方に膨らむ膨出部４８が形成されており、当該膨出部４８の中央には、軸部３４２が挿通される貫通孔４９が形成されている。軸部３４２については、その前端部分が貫通孔４９を通じて遊技機前方に突出しており、この突出している部分がベースユニット３１０の取付部として機能している。
【００９１】
ハンドルユニット３２０は上述したように遊技球の発射速度（発射強度）を調整するための回動操作部材３２３を有しており、回動操作部材３２３を所望とする位置に留めることを目的として、当該回動操作部材３２３と各カバー３２１，３２２との隙間に硬貨等が無理矢理押し込まれることがある。このような事情から、ハンドルユニット３２０には変形や破損等に起因した動作不良等が生じる可能性を否定できない。
【００９２】
この点、本実施の形態に示すハンドルユニット３２０については、軸部３４２に固定されているため、ハンドルユニット３２０を着脱することが可能である。つまり、ハンドルユニット３２０に不具合が生じた場合に遊技球発射ハンドル４５全体を換装する必要がなく、必要に応じてハンドルユニット３２０のみを取り外して修理したり、当該ハンドルユニット３２０のみを換装したりすることができる。このように、本実施の形態に示す遊技球発射ハンドル４５においては、メンテナンスの容易化や遊技部品のリユース性の向上による環境面への配慮がなされている。
【００９３】
なお、軸部３４２については、各カバー３２１，３２２に形成された挿通部に挿通された状態で固定されており、両カバー３２１，３２２の相対位置が上記中心軸線ＣＬと交差する方向にてずれることを抑制している。また、回動操作部材３２３は、その外殻を構成する外環部と軸部３４２が挿通される内環部とを有してなり、軸部３４２を中心として回動可能となるように軸支されている。つまり、回動操作部材３２３に加わる負荷については、カバー３２１，３２２及び軸部３４２に分散される構成となっている。
【００９４】
なお、ハンドル側連結部材３４１に対するハンドルユニット３２０の固定構造については任意であるが、上述した各種機能を享受する上では、ハンドルユニット３２０を着脱可能に固定可能となるようにネジ等の固定具を利用するとよい。
【００９５】
ここで、両連結部材３３１，３４１の連結構造について説明する。図１１（ｂ）に示すように、ベース側連結部材３３１の拡径部３３４の内面及びハンドル側連結部材３４１の半球状部３４４の外面は、曲率が一致し、相対向する接触面３３６，３４６となっている。接触面３３６，３４６には、拡径部３３４及び半球状部３４４を形成している合成樹脂材料よりも摩擦係数が大きいパッド３３７，３４７が固定されている。拡径部３３４及びパッド３３７からなるベース側係合部３３３と、半球状部３４４及びパッド３４７からなるハンドル側係合部３４３とが係合することにより、具体的には拡径部３３４の凹み部分に半球状部３４４が入り込んでパッド３３７，３４７同士が面接触することにより、両連結部材３３１，３４１が繋がっている。このように、摩擦係数の高い部材同士を接触させることにより、係合状態の変化を妨げる抵抗が大きくなることとなる。
【００９６】
このような係合態様においては、ハンドル側連結部材３４１がベース側連結部材３３１から離れるようにして遊技機前方へ変位することにより、両連結部材３３１，３４１が離間し得る。このため、場合によってはハンドルユニット３２０がハンドル側連結部材３４１ごとベースユニット３１０から分離又は脱落する可能性がある。そこで、本実施の形態においては、このような分離や脱落を防止するストッパ機構が採用されている。
【００９７】
ストッパ機構は、ハンドル側連結部材３４１（詳しくは半球状部３４４の端部）を後方に向けて押圧する押圧リング３５１を有している。押圧リング３５１は、半球状部３４４の縁部（前端部）に沿うように形成された環状をなしており、ハンドル側連結部材３４１（ハンドル側係合部３４３）をベース側連結部材３３１（ベース側係合部３３３）に押し付ける押圧位置と、当該押し付けを行わない退避位置とに移動可能となっている。
【００９８】
ここで、図１２を参照してストッパ機構の動作態様について説明する。図１２はストッパ機構と連結機構との関係を示す概略図であり、（１）群はロックレバー４６の状態を示し、（２）群は押圧リング３５１の状態を示している。
【００９９】
図１２（ａ１）に示すようにロックレバー４６が非操作状態となっている場合には、押圧リング３５１によってハンドル側連結部材３４１（ハンドル側係合部３４３）がベース側連結部材３３１（ベース側係合部３３３）に押し付けられており、両係合部３３３，３４３の係合状態が維持されるように構成されている。パッド３３７，３４７は弾性変形可能に形成されており、図１２（ａ２）に示す状態では、パッド３３７，３４７が押圧リング３５１の押圧力によって圧縮され、上述した摩擦抵抗によるハンドルユニット３２０の保持機能及び保持位置からの移動規制機能が好適に発揮されることとなる。以下、当該状態をロック状態と称する。
【０１００】
図１２（ａ１）→図１２（ｂ１）に示すように、ロックレバー４６が手前側に引っ張られると、その操作力がリンク機構を通じて押圧リング３５１に伝わり、当該押圧リング３５１が上記押圧位置から退避位置へと変位する。これにより、図１２（ｂ２）に示すように、押圧リング３５１と半球状部３４４の縁部との間に隙間が生じ、ハンドル側連結部材３４１（ハンドル側係合部３４３）とベース側連結部材３３１（ベース側係合部３３３）との押圧が解除されて、上述した隙間内にて両連結部材３３１，３４１の相対変位が許容されることとなる。以下、この状態をアンロック状態と称する。
【０１０１】
アンロック状態では、上記ロック状態とはことなり、両連結部材３３１，３４１の密着が解除されることとなる。このため、ロック状態と比較して、両係合部３３３，３４３（詳しくはパッド３３７，３４７）の間に生じる摩擦抵抗が小さくなる。つまり、図１２（ａ）に示したロック状態では、上記摩擦抵抗によって両連結部材３３１，３４１の相対位置の変化が困難又は不可となっているのに対して、アンロック状態では摩擦抵抗の発生を抑えることにより両連結部材３３１，３４１の相対位置の変化が許容されることとなる。なお、図示は省略しているが、ハンドル側連結部材３４１の軸部３４２において枠体２０ａ及びカバー体２０ｂの間に収容されている部分には、上下左右の４箇所にバネ部材が固定されている。これらバネ部材の付勢力は、アンロック状態にてハンドル側連結部材３４１（ハンドルユニット３２０）を初期位置、すなわち両連結部材３３１，３４１が一直線上に並ぶ位置に待機させるように設定されている。このため、図１２（ａ）→図１２（ｂ）に示すようにロック状態からアンロック状態への切り替えを行った場合であっても、ハンドルユニット３２０の位置は初期位置に維持されることとなる。
【０１０２】
遊技球発射ハンドル４５（詳しくはハンドルユニット３２０）については、遊技者の標準的な体格等を配慮してその位置等が決定されている。しかしながら、好みとなるハンドルユニット３２０の握り方や位置については遊技者の体格や姿勢等に応じて相違し得る。このような事情に鑑みて、本実施の形態においては、ロック機構をロック状態とアンロック状態とに切り替え可能とし、状況に応じて遊技者がハンドルユニット３２０の位置を任意に変更可能としていることを特徴の１つとしている。つまり、遊技球発射ハンドル４５にハンドルユニット３２０の位置調整機能が付与されていることを特徴の１つとしている。以下、図１２及び図１３を参照して、この位置調整機能及びそれに関連する構成について説明する。図１３は位置調整の様子を示す遊技球発射ハンドル４５の概略図である。
【０１０３】
遊技を開始するにあたりハンドルユニット３２０の位置の調整を行うことができる。先ず図１２（ａ）→図１２（ｂ）に示したように遊技球発射ハンドル４５に並設されたロックレバー４６を操作してロック状態からアンロック状態への切り替えを行う。これにより、ハンドルユニット３２０の移動規制が解除され、前扉枠１４（カバー体２０ｂ）に沿ったハンドルユニット３２０の移動が許容される。ここで、仮にロック状態にてハンドルユニット３２０が初期位置とは異なる位置に配置されていた場合には、アンロック状態への切り替えに伴い上記付勢力によって初期位置への復帰が促され、初期位置への復帰後は当該初期位置に待機することとなる。
【０１０４】
次に、遊技者がハンドルユニット３２０を掴んで上下左右何れかの方向に上記付勢力に抗して動かすと、両係合部３３３，３４３の係合箇所を基端としてハンドルユニット３２０が当該方向に移動すこととなる。
【０１０５】
例えば、図１３（ａ）→図１３（ｂ）に例示しているように、ハンドルユニット３２０を上方に持ち上げた場合には、ハンドルユニット３２０は中心部ＣＰを基端としてその向きが斜め上方を向くように姿勢を変えながら上昇することとなる。また、図１３（ａ）→図１３（ｃ）に例示しているようにハンドルユニット３２０を下方に押し下げた場合には、ハンドルユニット３２０は中心部ＣＰを基端としてその向きが斜め下方を向くように姿勢を変えながら降下することとなる。
【０１０６】
本実施の形態においては、凸曲面及び凹曲面を面接触させることにより、連結部材３３１，３４１を繋いでいるため、ハンドルユニット３２０の移動については、特定の方向に限定されず、遊技機正面視にて円状をなす範囲内での移動が許容されている。
【０１０７】
このようにして、ハンドルユニット３２０の位置を決定した後は、ロックレバー４６を操作してアンロック状態からロック状態への切り替えを行う。これにより、当該位置にてハンドルユニット３２０が移動を規制された状態で保持されることとなる。なお、図１３に示すように、押圧リング３５１はハンドルユニット３２０の向きの変化に追従してその向きが変わるように、上記中心部ＣＰを中心として回動可能な状態で保持され、ハンドルユニット３２０の位置調整を行った場合であっても押圧機能が低下すること、また押圧力がハンドルユニット３２０の位置ずれの要因になるようにして作用することが回避されている。
【０１０８】
既に説明したように、係合部３３３，３４３は前扉枠１４の内部空間に収容され、前扉枠１４を構成するカバー体２０ｂに形成された貫通孔４９を通じて遊技球発射ハンドル４５の一部（ハンドル側連結部材３４１やハンドルユニット３２０）が遊技機前方に突出している。再び図１１（ｂ）を参照して説明すれば、貫通孔４９の孔径は、ハンドル側連結部材３４１（軸部３４２）の外形よりも大きく設定されており、遊技球発射ハンドル４５の位置調整を妨げない構成となっているが、このように大きな貫通孔４９が存在することは、ワイヤ等の不正具を遊技機内に侵入させる経路となり得る。そこで、軸部３４２の中間部分には、貫通孔４９を前扉枠１４の内側から覆う環状フランジ部３４９が形成されている。
【０１０９】
環状フランジ部３４９は、その外形が上記中心部ＣＰを中心とする曲面状をなすように形成されており、カバー体２０ｂに形成された上記膨出部４８は、その内面が環状フランジ部３４９と同じ曲率となるように構成されている。つまり、ハンドルユニット３２０の位置調整を行う場合には、環状フランジ部３４９と膨出部４８とが対向したままとなり、上記不正具の侵入経路の発生を抑えている。
【０１１０】
また、ロック状態においては、環状フランジ部３４９と膨出部４８との間に僅かな前後隙が生じている。この隙間はアンロック状態における押圧リング３５１と半球状部３４４の縁部との隙間よりも僅かに小さく設定されており、アンロック状態になった場合には環状フランジ部３４９と膨出部４８との隙間が前後方向におけるハンドルユニット３２０の可動域として作用する。係る構成とすることにより、仮に位置調整に伴ってハンドルユニット３２０が前方に引っ張られた場合であっても、その負荷が前扉枠１４（詳しくはカバー体２０ｂ）に分散され、押圧リング３５１に過剰な負荷が加わることを抑制している。
【０１１１】
また、環状フランジ部３４９の前面はハンドル側係合部３４３（詳しくは接触面３４６又はパッド３４７）とともに中心部ＣＰを中心とする仮想球面ＲＳとほぼ同一面上に位置するように配置され、膨出部４８の後面についてもベース側係合部３３３（詳しくは接触面３３６又はパッド３３７）とともに同一仮想球面ＲＳとほぼ同一面上に位置するように配置されている。つまり、完全な球状ではないが、枠体２０ａに属するベース側連結部材３３１とカバー体２０ｂとの組み合わせにより球面部が形成され、その内部に半球状部３４４及び環状フランジ部３４９からなる球面部が収容される（挟み込まれる）ている。これにより、上述した防犯機能の向上、アンロック状態での位置調整機能の担保、ハンドルユニット３２０の脱落防止等の各種効果が発揮される構成となっている。
【０１１２】
ここで、ハンドルユニット３２０には、回動操作部材３２３の操作量を検知する操作量検出センサが内蔵されており、このセンサから延びる配線は、ハンドル側連結部材３４１の軸部３４２の内部空間→半球状部３４４に形成され当該内部空間に連なる開口部３４５→拡径部３３４に形成された開口部３３５→ベース側連結部材３３１の内部空間を通じてベースユニット３１０の取付ベース３１１に到達している。取付ベース３１１には、中継基板３１３が内蔵されており、この配線は当該中継基板３１３に接続されている。中継基板３１３は電源・発射制御装置２４３に電気的に接続されており、操作量検出センサからの検知情報は、中継基板３１３を介して電源・発射制御装置２４３に入力されることとなる。
【０１１３】
ここで、本実施の形態に示した開口部３３５，３４５の関係について説明する。上述したハンドルユニット３２０の位置調整に伴い両連結部材３３１，３４１の相対位置が変化した場合であっても、上述した開口部３３５，３４５の重なり（連通状態）が維持される構成となっている。具体的には、図１３（ｂ），（ｃ）にはハンドルユニット３２０の上限位置と下限位置とが例示されているが、このように調整可能な範囲のうち限界位置に配置された場合であっても、開口部３３５，３４５の重なりが維持されることとなる。これにより、上述した配線が断線されることが回避されている。特に、アンロック状態となった場合には、上述した各パッド３３７，３４７が自身の弾性力によってもとの状態に復元することとなる。これにより、両開口部３３５，３４５の縁部間に隙間が生じることが抑制されることとなり、この隙間に配線が入り込むことが回避される。
【０１１４】
以上詳述したように、本実施の形態に示す両連結部材３３１，３４１はその内部空間が繋がった状態となるように構成されており、配線の配設経路が確保されているが、この内部空間については遊技演出についても利用することが可能となっている。
【０１１５】
図１１（ｂ）に示すように、ベースユニット３１０に設けられた上記中継基板３１３の前面には複数の発光素子３１２が実装されている。これら発光素子３１２は演出制御装置１４３からの信号を受信することで発光する。遊技の進行状況等に応じて、演出制御装置１４３によって発光素子３１２の発光制御がなされることで、発光演出が実行されることとなる。
【０１１６】
発光素子３１２からの光は、上記各連結部材３３１，３４１を通じて前部カバー３２１に到達する。前部カバー３２１においてハンドル側連結部材３４１の端部に対峙している部分は光透過性が付与されており、発光素子３１２からの光はその光透過部３２１ａを通じて遊技機前方へ照射されることとなる。ここで、各軸部３３２，３４２の内周面には鏡面加工が施されている。これにより、光の漏れを抑制し、発光素子３１２からの光は効率よく光透過部３２１aに到達するように工夫されている。
【０１１７】
図１３（ｂ），（ｃ）に示すように、ベース側連結部材３３１の中心軸線ＣＬＢとハンドル側連結部材３４１の中心軸線ＣＬＨとが交差した状態であっても、両連結部材３３１，３４１の内部空間は繋がっている。つまり、ハンドルユニット３２０の位置調整によって当該ハンドルユニット３２０が初期位置から外れた場合であっても上述した光の通過経路が遮断されることはなく、発光演出機能は担保されることとなる。
【０１１８】
本実施の形態に示す遊技球発射ハンドル４５においては、従来ハンドルユニット３２０に内蔵されていた構成の一部をベースユニット３１０側に移設することにより、ハンドルユニット３２０内の空間を遊技演出用の各種遊技部品（例えば振動体等）の配置領域として利用することを容易としている。特に、これらの電気部品については、上記各連結部材３３１，３４１に配線を通すことが可能であるため、電気的な接続機能のついても担保されている。以下、このような構成を実現すべく採用された構成について補足説明する。
【０１１９】
上述した遊技球発射機構１１０（詳しくはソレノイド１１１）は、遊技球発射ハンドル４５の回動操作部材３２３に遊技者の手が触れていること、当該回動操作部材３２３が回動されていることの２つの条件が成立していると電源・発射制御装置２４３にて判断された場合に、駆動制御されることとなる。
【０１２０】
ここで、２つの条件のうち前者については、接触式のセンサ（タッチセンサ）からの検知情報に基づいて可否判定が実行される。図１１に示すようにタッチセンサ３１４はベースユニット３１０の取付ベース３１１内に中継基板３１３とともに内蔵されており、この中継基板３１３に対して電気的に接続されている。
【０１２１】
タッチセンサ３１４はハンドルユニット３２０から送信される電気信号に基づいて上記見情報を出力する構成となっているが、当該機能を発揮すべく、本実施の形態に示す連結機構３３０には電気信号を伝達する伝達経路としての機能が付与されている。
【０１２２】
具体的には、回動操作部材３２３は内外二重の環状をなしており、その内側の環状部がハンドル側連結部材３４１の軸部３４２に係合している。これら回動操作部材３２３及びハンドル側連結部材３４１には導電性が付与されており、回動操作部材３４１の外側環状部に対して遊技者が触れた場合には、電気信号が外側の環状部→内側の環状部→ハンドル側連結部材３４１の軸部３４２に伝わることとなる。
【０１２３】
また、上記各パッド３３７，３４７及びベース側連結部材３４１にも導電性が付与されている。このため、図１２（ａ）にしめすロック状態においては少なくとも、各パッド３３７，３４７の接触状態が維持されるため、上記電気信号はハンドル側係合部３４３のパッド３４７→ベース側係合部３３３のパッド３３７→ベース側連結部材３３１の軸部３３３に伝わることとなる。
【０１２４】
タッチセンサ３１４は、ハンドル側連結部材３４３の基端部に接続されており、回動操作部材３２３とタッチセンサ３１４とは電気的に繋がった状態となっている。つまり、タッチセンサ３１４はベースユニット３１０に配設されているが、ハンドルユニット３２０（回動操作部材３２３）への接触の有無を連結機構３３０を通じて把握することが可能となっている。
【０１２５】
以上詳述した本実施の形態によれば以下の優れた効果が期待できる。
【０１２６】
遊技者の背の高さはまちまちであり、標準的な体格を前提とした場合には、それよりも背の高い遊技者やそれよりも背の低い遊技者にとっては、標準的な体格の遊技者と比較して、発射操作に起因した負荷が大きくなりやすい。また、遊技機が設置される島設備の台座の高さや椅子の高さにも遊技ホールの設備に応じて相違し得るため、好ましいハンドルユニット３２０（遊技球発射ハンドル４５）の高さ位置については、様々な条件に応じて変化する。そこで、本実施の形態に示したように、ハンドルユニット３２０の高さ位置を変更する構成とすれば、各種条件下にて好ましいハンドルユニット３２０の高さ位置を担保することができる。これにより、発射操作に起因した遊技者の疲れを軽減できる。これは、遊技意欲の減退を抑制する上で効果的である。
【０１２７】
また、遊技を行う場合には、必ずしも遊技者が遊技機に正対した状態で遊技を行うとは限らない。特に長時間に亘って遊技を行う場合に、遊技者は身体の負担を軽減すべくその姿勢を変えることが多い。島設備に配置される遊技機については、横並びとなるように配列されており、遊技者は左右の遊技者に挟まれた状態で遊技を行うことが多い。このため、体の向きを正対しないように左右に傾けるには限度があるが、このような姿勢の変更は一般的に行われることである。
【０１２８】
ここで、本実施の形態によれば、ハンドルユニット３２０の位置を左右に変更できるため、上述した姿勢の変更に追従するようにしてハンドルユニット３２０の位置を横方向にて調整することができる。これにより、発射操作に起因した遊技者の疲れを軽減できる。
【０１２９】
遊技球発射ハンドル４５は遊技機の構造上、前扉枠１４の右下部に配置されやすい。腕は肩から延びており、体格に応じてその長さが異なる。ここで、例えば遊技ホールの島設備に設置された椅子については固定式となっていることが多いため、遊技機（遊技機前面部）と遊技者との距離を変更することは困難である。つまり、大柄な遊技者の場合には無理に腕を折り曲げるようにしてハンドルユニット３２０を把持する必要が生じたり、小柄な遊技者の場合には無理に腕を伸ばすようにしてハンドルユニット３２０を把持する必要が生じたりし得る。この点、上記実施の形態に示したようにハンドルユニット３２０を右斜め上方や左斜め下方等へ自在に位置変更可能とすれが、上述したような空間上の制約下であっても無理な腕の曲げ伸ばしを必要とせず、体格や姿勢の違いに応じて負担の少ない位置へのハンドル部の位置を変化させることが可能となる。
【０１３０】
ハンドルユニット３２０の位置を変更する場合には、同ハンドルユニット３２０の向きが係合箇所を基端として変更される。例えばハンドルユニット３２０を上方に移動させた場合には、ハンドルユニット３２０が斜め上方を向き、ハンドルユニット３２０を左方へ移動させた場合には、ハンドルユニット３２０が斜め左方を向くこととなる。このように位置調整に併せてハンドルユニット３２０の向きが自動的に変更される構成とすることにより、ハンドルユニット３２０の操作性の更なる向上に貢献できる。
【０１３１】
上記位置調整機能を実現するための構成として凹曲面部を構成するベース側係合部３３３と凸曲面部を構成するハンドル側係合部３４３とを採用した。両者が係合状態となることにより両曲面部の間に生じる摩擦抵抗によって保持機能を発揮させることができる。例えば、ギア等によって多段的な位置の変更を許容することで調整機能と保持機能とを両立することも可能であるが、このような構成では、ハンドルユニットへの負荷がギアにダイレクトに伝わって磨耗等が生じたり（磨耗に起因して耐久性の担保が困難になったり）、段階的な調整を余儀なくされることで微妙な位置調整が困難になったりする。
【０１３２】
この点、上記係合方式を採用すれば、摩擦によってハンドルユニット３２０の位置が決まるため、仮にハンドルユニット３２０に大きな負荷が加わった場合には、その方向へハンドルユニット３２０を逃がすことができる。故に、耐久性の問題を好適に解消できる。また、上述したようなギア等の存在がなく無段階での位置調整が可能であるため細かな位置調整が可能となる。
【０１３３】
上記位置調整機能を有している場合であっても、位置調整後の位置からのハンドルユニット３２０のブレ（位置ずれ）の回避を遊技者自身に委ねてしまうと、遊技者の負担が増大することで結果として位置調整機能を活用されなくなると想定される。そこで、本特徴に示すように、押圧リング３５１によってハンドルユニット３２０を調整後の位置に保持する構成とすることにより、そのような不都合の発生を好適に抑制することができる。これにより、位置調整機能の活用を促進できる。
【０１３４】
本実施の形態では、ロックレバー４６や押圧片４５１を用いてロック状態／アンロック状態の切替を可能とした。これにより、ハンドルユニット３２０の保持機能や移動規制機能を強化と、しようとすれば位置調整を行う際の作業負荷の軽減とを好適に両立できる。
【０１３５】
アンロック状態への切り替えに伴いハンドルユニット３２０が初期位置に復帰する構成とした。これにより、ハンドル部の位置調整を行う際の作業効率を向上することができる。特に、ハンドルユニット３２０の初期位置については、位置調整が可能範囲の中央に設定されているため、初期位置でのハンドルユニット３２０の偏りを抑えている。これにより上記作業効率の更なる向上が期待できる。
【０１３６】
ハンドルユニット３２０において発光演出等を行う場合、従来の遊技機ではハンドル部に発光手段を内蔵する必要があったところ、ベースユニット３１０側に発光手段（発光素子３１２）を配置しても両連結部材３３１，３４１を通じてハンドルユニット３２０に光を供給することが可能となる。このようにして本来ハンドルユニット３２０に付属し得る構成をベースユニット３１０側に移植可能とすることで、ハンドル部の軽量化等を促進できる。これは、ロック状態での上記保持機能等の向上を実現する上で好ましい構成である。
【０１３７】
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【０１３８】
（１）上記実施の形態では、「連結部」としての連結機構３３０にベース側係合部３３３及びハンドル側係合部３４３からなる半球面状の軸受け構造を用いることにより遊技機前面に沿った何れの方向にも「ハンドル部」としてのハンドルユニット３２０の位置変更が可能な構成としたが、少なくとも前扉枠１４の前面に沿ったハンドルユニット３２０の位置変更が可能であれば位置変更範囲及び方向については任意に変更してよい。
【０１３９】
例えば、ベース側連結部材３３１及びハンドル側連結部材３４１を軸ピン等によって結合し、当該軸ピンを中心としたハンドル側連結部材３４１の回動を許容する構成としてもよい。この場合、軸ピンの軸線方向を左右方向とすることにより、ハンドルユニット３２０を上下に移動させることが可能となる。少なくともハンドルユニット３２０の位置を上下方向で調整可能とすれば、遊技者の体格（背の高さ）の差による操作性の低下を好適に抑制できる。
【０１４０】
また、軸ピンの軸線方向を上下方向とすることによりハンドルユニット３２０を左右に移動させることが可能となる。少なくともハンドルユニット３２０の位置を左右方向で調整可能とすれば、遊技者の体の向き（姿勢）に起因した操作性の低下を好適に抑制できる。
【０１４１】
更には、人間の腕が肩から延びている点及び遊技球発射ハンドル４５がパチンコ機１０の右下配置されている点に着目すれば、ハンドルユニット３２０の移動方向を右斜め上方及び左斜め下方となるようにして軸ピンを配置することにより、遊技者の体格及び姿勢への対応力を好適に発揮させることができる。
【０１４２】
なお、本実施の形態においては、「連結機構」を構成する連結部材を２ピースとしたが、これを変更し３ピースとし且つ各連結部材のジョイント部分に上記軸ピンを適用するとともに、一方の軸ピンの向き（軸線方向）を左右方向、他方の軸ピンの向き（軸線方向）を上下方向とすることにより（すなわち各軸ピンの向きを異なる方向とることにより）、「ハンドル部」の位置調整が可能となる範囲を拡げることができる。但しこのような複雑なリンク構造においては、「ハンドル部」の保持機能の担保が困難になり、耐久性が低下し得る。故に、望ましくは連結構造には上記実施の形態に示した構成を採用することが好ましい。
【０１４３】
（２）上記実施の形態では、ロックレバー４６を用いて「切替手段」を構成したが、当該ロックレバーによるロック状態／アンロック状態の切替機能ついては必須ではなく、常時ロック状態及びアンロック状態の中間となる状態に維持する構成、すなわち予め設定された力以上の外力が作用した場合にハンドルユニット３２０の位置が変更される構成とすることも可能である。
【０１４４】
具体的には、両係合部３３３，３４３を常時圧着させて（強干渉又は強嵌合させて）両者の間にハンドルユニット３２０の移動に抗する摩擦力が常時作用する構成とするとよい。つまり、ハンドルユニット３２０の位置を少なくとも当該ハンドルユニット３２０の自重に抗して維持できるのであれば、ロックレバー４６及びそれに付随する構成を省略することも可能である。但し、このような構成では保持機能を強化しようとすれば位置調整を行う際の作業負荷が増大し、作業負荷を抑えようとすれば保持機能を担保することが困難になる。故に、望ましくは、ロック状態／アンロック状態に切り替え可能な上記切替手段に相当する構成を採用することが好ましい。
【０１４５】
なお、切替手段の具体的構造については上記レバー構造に限定されるものではなく、例えばプッシュボタン構造等の他の構造を採用してよい。
【０１４６】
（３）上記実施の形態では、初期位置復帰用の「付勢手段」としてバネ部材（図示略）を備える構成としたが、「付勢手段」としてゴムや磁石等を備える構成とすることも可能である。
【０１４７】
また、初期位置に復帰させる場合の動力は付勢手段によって発揮される必要は必ずしもなく、例えばハンドルユニット３２０の自重によって初期位置に復帰させる構成としてもよい。但し、調整可能な範囲の限界位置（例えば下限位置）を初期位置として設定した場合には、初期位置からの調整幅に偏りが生じる。故に、望ましくは上記実施の形態に示したように初期位置は位置調整可能な全範囲の中央に設定することが好ましい。
【０１４８】
（４）上記実施の形態では、ロックレバー４６の切替操作がロック状態／アンロック状態の切替用の動力として作用する構成としたが、これを以下のように変更してもよい。すなわち、電源・発射制御装置２４３に電気的に接続された切替用スイッチ（例えばタッチセンサ）と、切替用スイッチが操作されたことに基づいて電源・発射制御装置２４３から出力される信号に基づいて駆動する駆動部（例えばソレノイド）とを設け、この駆動部の動力によって、ロック状態とアンロック状態との切替を行う構成としてもよい。これにより、調整作業を行う際の遊技者の作業負荷を軽減できる。
【０１４９】
（５）上記変形例（４）に示した構成では、電源・発射制御装置２４３による切替制御が可能である。そこで、以下に示す初期位置への自動復帰機能を付与してもよい。
【０１５０】
既に説明したように好ましいハンドルユニット３２０の位置は遊技者ごとに相違し得る。仮に、先の遊技者が離席した場合に、ハンドルユニット３２０がそのままの位置で維持（放置）されると、次に遊技を遊技者について調整の手間が増えると想定される。一方、単に遊技を行っていないことを条件として、ハンドルユニット３２０を初期位置に復帰させる構成とすることも可能であるが、この場合には例えばトイレ休憩等で離席している間に初期位置への復帰がなされ、席に戻った遊技者は再度の調整を余儀なくされると懸念される。これでは、遊技者にハンドルユニット３２０の位置調整が煩わしいとの心証を与え、調整機能が上手く活用されなくなってしまう。
【０１５１】
そこで、本変形例においては、遊技者が遊技を終えたか否かを監視する手段を設け、遊技が終了したと認識した場合に、ハンドルユニット３２０の初期位置への復帰を行うこととしている。具体的には、「貯留部」としての上皿２８ａの出口部分に遊技球を検知する検知センサを配置する。検知センサからの検知情報は電源・発射制御装置２４３に送信され、電源・発射制御装置２４３では、所定の期間に亘って検知センサにより遊技球を検知できなかった場合に、遊技者が遊技を終えたものと判定して、初期位置への復帰処理を行う。具体的には、ロック状態からアンロック状態への切り替え処理を実行する。この構成によれば上記不都合の発生を好適に回避できる。
【０１５２】
また、所定の期間に亘って遊技球の発射操作が行われていないこと、更には当該状況下にて上皿２８ａに遊技球が存在していないことの２つを条件として、上記初期位置への復帰を行う構成とすることも可能である。
【０１５３】
なお、予め設定された期間に亘って発射操作が行われていないことを初期位置への復帰条件とし、当該条件の成立によって上皿の貯留球の有無に関係なく復帰処理を行う構成とすることを否定するものではない。
【０１５４】
（６）上記実施の形態では、回動操作部材３２３の回動量（操作量）を検出するセンサをハンドルユニット３２０に配設したが、当該センサをベースユニット３１０に配設することも可能である。この場合、回動操作部材３２３とハンドル側連結部材３４１とを一体化し、回動操作部材３２３が回動操作された場合にハンドル側連結部材３４１がそれに追従して回動する構成とする。そして、ベース側連結部材３３１がベースユニット３１０によって回動可能に軸支し、ベース側連結部材３３１がハンドル側連結部材３４１との間に生じる摩擦力によってハンドル側連結部材３４１に連動してベース側連結部材３３１も回動する構成とする。当該変形例によれば、ベースユニット３１０にベース側連結部材３３１の回動量を検出するセンサを配設しておくことによりハンドルユニット３２０に属する構成をベースユニット３１０側へ移設して当該ハンドルユニット３２０の更なる簡素化／軽量化を実現できる。また、ハンドルユニット３２０に内蔵される構成が減ることにより、同ハンドルユニット３２０の内部スペースを振動体等の各種演出用遊技部品の配置スペースとして利用しやすくなるため、遊技機の演出機能の更なる向上にも貢献することも可能となる。
【０１５５】
（７）上記実施の形態では、ハンドルユニット３２０が両係合部３３３，３４３の係合箇所（詳しくは中心部ＣＰ）を基端として回動することにより、前扉枠１４の前面に沿ったハンドルユニット３２０の移動を可能としたが、これに加えてハンドルユニット３２０を前後に移動可能とする可変機構を設けてもよい。例えば、ハンドル側連結部材３４１を前扉枠１４のカバー体２０ｂよりも前側で分割された２ピース構造として、一方のピースの内部に他方のピースが挿入される構成とし、両ピースの連結方向にてそれらピースの相対変位を許容する構成とするとよい。
【０１５６】
（８）上記実施の形態では、ハンドルユニット３２０が両係合部３３３，３４３の係合箇所（詳しくは中心部ＣＰ）を基端として回動させることによりハンドルユニット３２０の位置調整が行われる構成としたが、これに代えてベースユニット３１０を枠体２０ａにスライド移動可能に取り付けて、ハンドルユニット３２０の位置調整時にはハンドルユニット３２０及びベースユニット３１０が一体となって移動する構成としてもよい。
【０１５７】
（９）上記実施の形態では、ベースユニット３１０（詳しくは取付ベース３１１）の固定対象を枠体２０ａとしたが、これを変更し、ベースユニット３１０の固定対象をカバー体２０ｂとすることも可能である。このような変更を行った場合であっても、「可変機構」に相当する構成については、枠体２０ａとカバー体２０ｂとの間に収容する構成とすることが好ましい。
【０１５８】
（１０）上記実施の形態では、各係合部３３３，３４３の接触面３３６，３４６を摩擦係数の比較的大きなパッド３３７，３４７（詳しくはシート材）を配設して、両係合部３３３，３４３の間に生じる摩擦力を高める構成としたが、パッド３３７，３４７の基材（台座）として機能する拡径部３３４及び半球状部３４４の表面自体の面粗度を高くすることによりこれらパッド３３７，３４７を省略することも可能である。但し、「押圧手段」を構成する押圧リング３５１によって両係合部３３３，３４３を密着させる場合には、接触部位がある程度変形する構成とすることにより密着力が高くなる。また、パッド３３７，３４７がハンドルユニット３２０→連結機構３３０→ベースユニット３１０に伝わる外力を緩和させる緩衝材として機能する。故に、望ましくは上記実施の形態に示したように、係合部３３３，３４３を基材とそれよりも変形容易且つ摩擦係数の大きい部材とを組み合わせて用いるとよい。
【０１５９】
（１１）上記実施の形態では、ハンドルユニット３２０が調整位置にてロックされる構成としたが、少なくとも調整機能が付与されていればよく、ロック機能については省略することも可能である。但し、調整位置にてロックされない場合には、遊技者自身がハンドルユニット３２０を調整位置に保持する必要が生じ、遊技者の負担が増加する。故に、如何に調整範囲を拡げたとしても実質的には調整幅の限界位置のみでの使用が行われる程度に留まり、調整機能が付与されたことによる恩恵が上手く発揮されなくなる。故に、望ましくは、上記実施の形態に示したように、ハンドルユニット３２０の位置調整が行われた後は、その位置にてハンドルユニット３２０がロック（保持または維持）される構成とすればよい。
【０１６０】
（１２）上記実施の形態においては、例えば図柄表示装置９４の表示画面にてデモ表示等が実行されている場合や遊技開始時（始動入球発生時）等に、ハンドルユニット３２０の位置調整が可能である旨や調整方法等の報知を行うとよい。なお、報知態様については任意であり、例えば表示画面に表示されるメッセージ等によって上記報知をおこなってもよいし、スピーカ部２７から出力される音声によって上記報知を行ってもよい。
【０１６１】
（１３）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０１６２】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１６３】
＜特徴Ａ群＞
以下の特徴Ａ群に記載された発明は、「パチンコ機等の遊技機には、遊技機本体の前面部にハンドル装置を備え、当該ハンドル装置が操作されることで発射装置が動作し、遊技領域へ遊技球が発射されるものがある（例えば特許文献１参照）。」という背景技術について、「ここで、遊技を行う際の姿勢は遊技者によって様々となり、更には遊技者の体格についても一様ではない。このため、単に標準となる姿勢や体格に対応させてハンドル装置を設けた場合には、それから外れた姿勢で遊技を行った場合や標準から外れた大柄又は小柄な遊技者にとっては発射操作に伴う負荷が大きくなると懸念される。このような、負荷の増大は遊技意欲の減退を招く要因になるため好ましくなく、ハンドル装置には未だ改善の余地がある。」という発明が解決しようとする課題をもってなされたものである。
【０１６４】
特徴Ａ１．遊技領域（遊技領域ＰＥ）に向けて遊技球を発射すべく操作される操作手段（遊技球発射ハンドル４５）を備え、
前記操作手段は、
遊技機前面部（前扉枠１４）に固定されている基部（ベースユニット３１０）と、
前記基部の前方に配置されたハンドル部（ハンドルユニット３２０）と、
前記基部及び前記ハンドル部を連結する連結部（連結機構３３０）と
を有し、
前記連結部には、遊技機前面部に沿った前記ハンドル部の位置の変更を許容する可変機構（ベース側連結部材３３１及びハンドル側連結部材３４１）が設けられていることを特徴とする遊技機。
【０１６５】
好みとなるハンドル部の握り方は遊技者の体格や姿勢等に応じて相違している。そこで、本特徴に示すように、好みに合わせたハンドル部の位置変更が許容される構成とすれば、一番楽な握り方に合わせてハンドル部の位置を変更することが可能となる。故に、発射操作に起因した遊技者の疲れを軽減できる。これは、遊技意欲の減退を抑制する上で効果的である。
【０１６６】
特徴Ａ２．前記可変機構は、前記基部側に設けられた基部側係合部（ベース側係合部３３３）と、前記ハンドル部側に設けられ、前記基部側係合部に係合するハンドル側係合部（ハンドル側係合部３４３）とを有し、前記基部側係合部と前記ハンドル側係合部との係合態様が変化することにより前記ハンドル部の位置の変更が許容されるように構成されていることを特徴とする特徴Ａ１に記載の遊技機。
【０１６７】
操作手段（ハンドル部）については、操作時等に遊技者の手の重みが加わる可能性がある。故に、これを支えることができる程度の強度と耐久性を確保する必要がある。本特徴に示すように連結部を構成する基部側係合部及びハンドル側係合部の係合態様の変化によりハンドル部の位置変更が許容される構成とすれば、可変機構に係る構造が過度に複雑になることを抑制して、上記強度及び耐久性の確保を容易に実現できる。
【０１６８】
特徴Ａ３．前記基部側係合部及び前記ハンドル側係合部は、前記係合態様の変化に基づいてそれら両係合部の係合箇所を基端とした上下方向への前記ハンドル部の位置の変更を許容するものであることを特徴とする特徴Ａ２に記載の遊技機。
【０１６９】
遊技者の背の高さはまちまちであり、標準的な体格を前提とした場合には、それよりも背の高い遊技者やそれよりも背の低い遊技者にとっては、標準的な体格の遊技者と比較して、発射操作に起因した負荷が大きくなりやすい。また、遊技機が設置される島設備の台座の高さや椅子の高さにも遊技ホールの設備に応じて相違し得るため、好ましいハンドル部の高さ位置については、様々な条件に応じて変化する。そこで、本特徴に示すように、ハンドル部の高さ位置を変更する構成とすれば、各種条件下にて好ましいハンドル部の位置を担保することができ、特徴Ａ１に示した効果を好適に発揮することが可能となる。
【０１７０】
特徴Ａ４．前記基部側係合部及び前記ハンドル側係合部は、前記係合態様の変化に基づいてそれら両係合部の係合箇所を基端とした左右方向への前記ハンドル部の位置の変更を許容するものであることを特徴とする特徴Ａ２又は特徴Ａ３に記載の遊技機。
【０１７１】
遊技を行う場合には、必ずしも遊技者が遊技機に正対した状態で遊技を行うとは限らない。特に長時間に亘って遊技を行う場合に、遊技者は身体の負担を軽減すべくその姿勢を変えることが多い。島設備に配置される遊技機については、横並びとなるように配列されており、遊技者は左右の遊技者に挟まれた状態で遊技を行うことが多い。このため、体の向きを正対しないように左右に傾けるには限度があるが、このような姿勢の変更は一般的に行われることである。
【０１７２】
ここで、本特徴によれば、ハンドル部の位置を左右に変更できるため、上述した姿勢の変更に追従するようにしてハンドル部の位置を横方向にて調整することができる。これにより、特徴Ａ１に示した効果を好適に発揮することが可能となる。
【０１７３】
特徴Ａ５．前記操作手段は、前記遊技機前面部の右下部に配設されており、
前記基部側係合部及び前記ハンドル側係合部は、前記係合態様の変化に基づいてそれら両係合部の係合箇所を基端とした右斜め上方及び左斜め下方への前記ハンドル部の位置の変更を許容するものであることを特徴とする特徴Ａ２乃至特徴Ａ４のいずれか１つに記載の遊技機。
【０１７４】
遊技球発射用の操作手段を有する遊技機においては、その構造上、遊技機前面部の右下部に操作手段が配置されることが多い。腕は肩から延びており、体格に応じてその長さが異なる。ここで、例えば遊技ホールの島設備に設置された椅子については固定式となっていることが多いため、遊技機（遊技機前面部）と遊技者との距離を変更することは困難である。つまり、大柄な遊技者の場合には無理に腕を折り曲げるようにしてハンドル部を把持する必要が生じたり、小柄な遊技者の場合には無理に腕を伸ばすようにしてハンドル部を把持する必要が生じたりし得る。この点、本特徴に示すようにハンドル部の右斜め上方／左斜め下方への位置変更を許容することにより、上述したような空間上の制約下であっても無理な腕の曲げ伸ばしを必要とせず、体格や姿勢の違いに応じて負担の少ない位置へのハンドル部の位置を変化させることが可能となる。これにより、特徴Ａ１に示した効果を好適に発揮させることが可能となる。
【０１７５】
特徴Ａ６．前記可変機構は、当該可変機構により規定された可動範囲内の任意の位置に前記ハンドル部が配置されている状況下にて、その位置からの移動が規制された状態で当該ハンドル部を保持する保持手段（ロックレバー４６や押圧リング３５１）を有していることを特徴とする特徴Ａ１乃至特徴Ａ５のいずれか１つに記載の遊技機。
【０１７６】
特徴Ａ１に示した位置調整機能を有している場合、位置調整後のハンドル部のブレ（位置ずれ）の回避を遊技者自身に委ねてしまうと遊技者の負担が増大することになる。これでは、位置調整機能を活用されなくなると想定される。そこで、本特徴に示すように、保持手段によってハンドル部を調整後の位置に保持する構成とすることにより、そのような不都合の発生を好適に抑制することができる。これにより、位置調整機能の活用を促進できる。
【０１７７】
特徴Ａ７．前記基部側係合部及び前記ハンドル側係合部の一方は半球状をなす凹曲面部（接触面３３６）を有し、他方は前記凹曲面部と曲率が一致し当該凹曲面部に面接触する凸曲面部（接触面３４６）を有し、それら各曲面部が面接触することで前記係合した状態となるように構成されており、
前記可変機構は、前記両曲面部の一方が他方に沿って移動してそれら曲面部の相対角度が変化することに伴って、前記ハンドル部の向きが前記両係合部の係合箇所を基端として変わることにより同ハンドル部の位置を変更される構成となっていることを特徴とする特徴Ａ２乃至特徴Ａ５のいずれか１つに記載の遊技機。
【０１７８】
特徴Ａ７によれば、ハンドル部の位置を特定の方向に限定されることなく様々な位置へと変更することができる。これにより、位置調整機能を好適に強化できる。
【０１７９】
特に、ハンドル部の位置を変更する場合には、同ハンドル部の向きが係合箇所を基端として変更される。例えばハンドル部を上方に移動させた場合には、ハンドル部が斜め上方を向き、ハンドル部を左方へ移動させた場合には、ハンドル部が斜め左方を向くこととなる。これにより、ハンドル部の位置調整に起因した操作性の低下を好適に抑制できる。
【０１８０】
特徴Ａ８．前記可変機構は、前記凹曲面部及び前記凸曲面部の一方を他方に押し付ける押圧手段（押圧リング３５１）を有し、当該押圧手段による押圧力により前記ハンドル部が少なくとも変更後の位置からの移動が規制された状態で保持されることを特徴とする特徴Ａ７に記載の遊技機。
【０１８１】
特徴Ａ１に示した位置調整機能を有している場合、位置調整後のハンドル部のブレ（位置ずれ）の回避を遊技者自身に委ねてしまうと遊技者の負担が増大することになる。これでは、位置調整機能を活用されなくなると想定される。そこで、本特徴に示すように、保持手段によってハンドル部を調整後の位置に保持する構成とすることにより、そのような不都合の発生を好適に抑制することができる。これにより、位置調整機能の活用を促進できる。
【０１８２】
特に凹曲面部と前記凸曲面部とが接触して係合状態となる構成では、両曲面部の間に生じる摩擦抵抗によって保持機能等を発揮させることができる。例えば、ギア等によって多段的な位置の変更を許容することで調整機能と保持機能とを両立することも可能であるが、このような構成では、ハンドル部への負荷がギアにダイレクトに伝わって磨耗等が生じたり（耐久性の担保が困難になったり）、段階的な調整を余儀なくされることで微妙な位置調整が難しくなったりする。
【０１８３】
この点、本特徴に示す構成では、無段階での位置調整が可能である。また、摩擦による固定方式であるため、仮にハンドル部に大きな負荷が加わった場合、その方向へハンドル部を逃がすことができる。故に、耐久性の問題も好適に解消できる。
【０１８４】
特徴Ａ９．前記押圧手段は、前記両曲面部を圧着させる押圧状態と圧着させない非押圧状態とに切替可能となっており、前記非押圧状態では前記ハンドル部の保持が無効となるように構成されており、
前記押圧手段を前記押圧状態と前記非押圧状態とに切り替える切替手段を備えていることを特徴とする特徴Ａ８に記載の遊技機。
【０１８５】
特徴Ａ８に示した保持機能を強化しようとすれば位置調整を行う際の作業負荷が増大し、作業負荷を抑えようとすれば保持機能を担保することが困難になる。そこで、本特徴に示す切替手段を採用することにより、上記機能を好適に両立できる。
【０１８６】
なお、本特徴に示した技術的思想を特徴Ａ６に適用することも可能である。この場合、本特徴の構成を「前記保持手段は、保持状態と非保持状態とに切替可能となっており、前記非保持状態では前記ハンドル部の移動規制が解除されるように構成されており、前記保持手段を前記保持状態と前記非保持状態とに切り替える切替手段を備えていることを特徴とする特徴Ａ６に記載の遊技機。」に変更するとよい。
【０１８７】
特徴Ａ１０．前記連結部は、前記基部に取り付けられた基部側連結部材（ベース側連結部材３３１）と、前記ハンドル部に取り付けられたハンドル側連結部材（ハンドル側連結部材３４１）とを有し、
前記基部側連結部材は、筒状をなす基部側軸部（軸部３３２）を有し、
前記基部側係合部は前記基部側軸部の一端に設けられ、当該基部側軸部の中空部分に連なる開口部（開口部３３５）が形成されており、
前記ハンドル側連結部材は、筒状をなすハンドル側軸部（軸部３４２）を有し、
前記ハンドル側係合部は前記ハンドル側軸部の一端に設けられ、当該ハンドル側軸部の中空部分に連なる開口部（開口部３４５）が形成されており、
前記各開口部は、前記可変機構により規定された前記ハンドル部の移動範囲内では、それら開口部同士が連通した状態に維持されるように構成されていることを特徴とする特徴Ａ８又は特徴Ａ９に記載の遊技機。
【０１８８】
特徴Ａ１０によれば、ハンドル部に設けられている各種電気的構成から延びる配線の配設経路を軸部及び開口部によって好適に確保することができる。
【０１８９】
また、仮にハンドル部において発光演出等を行う場合、従来の遊技機ではハンドル部に発光手段を内蔵する必要があった。この点、本特徴によれば、基部側に発光手段を配置しても発光手段からの光を軸部及び開口部を通じてハンドル部に供給することが可能となる。このように、ハンドル部に付属する構成をベース部側に移植することを可能とすれば、ハンドル部の軽量化等を促進できる。これは、特徴Ａ８等に示した保持機能を担保する上でも好ましい構成である。
【０１９０】
特徴Ａ１１．前記ハンドル部を所定位置に付勢する付勢手段を有し、
前記切替手段により前記押圧手段が前記非押圧状態に切り替えられた場合には、前記付勢手段の付勢力によって前記ハンドル部が前記所定位置に復帰する構成となっていることを特徴とする特徴Ａ９又は特徴Ａ１０に記載の遊技機。
【０１９１】
特徴Ａ１１によれば、所定位置（例えば初期位置）にハンドル部を復帰させる構成とすることにより、ハンドル部の位置調整を行う際の作業効率を向上することができる。
【０１９２】
特徴Ａ１２．前記切替手段は、所定の期間に亘って遊技が行われていない場合に、前記押圧手段を前記非押圧状態に切り替える手段を有し、
前記押圧手段が前記非押圧状態に切り替えられた場合には、前記付勢力によって前記ハンドル部が前記所定位置に復帰する構成となっていることを特徴とする特徴Ａ１１に記載の遊技機。
【０１９３】
既に説明したように好ましいハンドル部の位置は遊技者ごとにことなる。仮に、先の遊技者が離籍した場合に、ハンドル部がそのままの位置で放置されると、次に遊技を行うものは調整の手間が増えることとなる。
【０１９４】
この点、本特徴によれば、遊技が所定の期間に亘って行われていない場合には、自動的にハンドル部が初期位置に復帰するため、上述したような手間が増えることを好適に抑制できる。
【０１９５】
特徴Ａ１３．前記操作手段による発射操作に基づいて遊技球を発射する発射手段（遊技球発射機構１１０）と、
貯留部（上皿２８ａ）に貯留されている遊技球を前記発射手段へ遊技球を供給する供給手段（球送装置１１３）と、
前記貯留部に遊技球が貯留されているか否かを監視する監視手段（検知センサや電源・発射制御装置２４３）と
を備え、
前記切替手段は、前記監視手段により遊技球が貯留されていない状態のまま所定の期間を経過したと判定された場合に、前記非押圧状態に切り替える手段を有し、
前記押圧手段が前記非押圧状態に切り替えられた場合には、前記付勢力によって前記ハンドル部が前記所定位置に復帰する構成となっていることを特徴とする特徴Ａ１１に記載の遊技機。
【０１９６】
既に説明したように好ましいハンドル部の位置は遊技者ごとにことなる。仮に、先の遊技者が離籍した場合に、ハンドル部がそのままの位置で放置されると、次に遊技を行うものは調整の手間が増えることとなる。一方、単に遊技を行っていないことを条件として、ハンドル部を初期位置に復帰させてしまうと例えばトイレ休憩等で離籍している間に初期位置への復帰がなされ、席に戻った遊技者は再度の調整を余儀なくされる。これでは、遊技者に煩わしいとの心証を与え、調整機能が上手く活用されなくなってしまう。
【０１９７】
この点、本特徴に示す構成によれば、上記各種不都合の発生を回避して、調整機能を好適に発揮させることができる。
【０１９８】
なお、特徴Ａ１１〜特徴Ａ１３に示した技術的思想を特徴Ａ６＋「前記保持手段は、前記保持状態と非保持状態とに切替可能となっており、前記非保持状態では前記ハンドル部の移動規制が解除されるように構成されており、前記保持手段を前記保持状態と前記非保持状態とに切り替える切替手段を備えていることを特徴とする特徴Ａ６に記載の遊技機。」に適用することも可能である。
【０１９９】
＜特徴Ｂ群＞
以下の特徴Ｂ群に記載された発明は、「パチンコ機等の遊技機には、遊技機本体の前面部にハンドル装置を備え、当該ハンドル装置が操作されることで発射装置が動作し、遊技領域へ遊技球が発射されるものがある（例えば特許文献１参照）。」という背景技術について、「近年では、ハンドル装置に演出や報知等機能が付与され、遊技への注目度の向上が図られているものがある。但し、ハンドル装置の内部にこのような構成を内蔵しようとした場合には、そのスペースが限られている点やハンドル装置が片持ちになっている（強度担保）点等に配慮して上記機能を充実させる上でその構造に未だ改善の余地がある。」という発明が解決しようとする課題をもってなされたものである。
【０２００】
特徴Ｂ１．遊技機前面部を構成する遊技機前面体（前扉枠１４）と、
前記遊技機前面体に設けられ、遊技領域（遊技領域ＰＥ）に向けて遊技球を発射すべく操作される操作手段（遊技球発射ハンドル４５）と
を備えた遊技機であって、
前記遊技機前面体は、
枠部（枠体２０ａ）と、
当該枠部を遊技機前方から覆うカバー部（カバー体２０ｂ）と
を有してなり、
前記操作手段は、
遊技枠部に固定されている基部（ベースユニット３１０）と、
前記カバー部の前方に配置されたハンドル部（ハンドルユニット３２０）と、
前記カバー部に形成された開口部（貫通孔４９）を介して前記基部及び前記ハンドル部を連結する連結部（連結機構３３０）と
を有し、
前記操作を検知する検知手段（タッチセンサ３１４）が、前記基部に配置されていることを特徴とする遊技機。
【０２０１】
従来の遊技機においてはハンドル部に内蔵されていた構成（検知手段）を、ハンドル部ではなく基部に配設することにより、すなわち遊技機前面体を構成する枠部とカバー部との間に収容することにより、ハンドル部に属する構成を減らすことができる。これは、片持ちとなるハンドル部の支持強度の担保や、ハンドル部に発光等の各種演出装置を内蔵する際の空間的な余裕を確保する上で好ましい構成である。
【０２０２】
なお、本特徴を「遊技機前面部を構成する遊技機前面体（前扉枠１４）と、前記遊技機前面体に設けられ、遊技領域（遊技領域ＰＥ）に向けて遊技球を発射すべく操作される操作手段（遊技球発射ハンドル４５）とを備えた遊技機であって、前記遊技機前面体は、枠部（枠体２０ａ）と、当該枠部を遊技機前方から覆うカバー部（カバー体２０ｂ）とを有してなり、前記操作手段は、遊技枠部に固定されている基部（ベースユニット３１０）と、前記カバー部の前方に配置されたハンドル部（ハンドルユニット３２０）と、前記カバー部に形成された開口部（貫通孔４９）を介して前記基部及び前記ハンドル部を連結する連結部（連結機構３３０）とを有していることを特徴とする遊技機。」とすることも可能である。
【０２０３】
特徴Ｂ２．前記開口部は、前記連結部に当接することにより、前記連結部の変位を規制する規制手段として機能することを特徴とする特徴Ｂ１に記載の遊技機。
【０２０４】
ハンドル部を片持ちとする構造においては、遊技者がハンドル部に手を掛けることによって発生する負荷が操作手段の基端部（基部）に集中しやすい。これでは、ハンドル部の支持強度を向上することが困難になる。
【０２０５】
この点、本特徴に示す構成によれば、ハンドル部に加わった上記負荷については、基部の固定対象である枠部だけでなく、連結部と当接するカバー部にも伝わることとなる。このような構成とすることにより、上記負荷を操作手段の取付対象である遊技機前面体に好適に分散させることができ、支持機能を好適に向上できる。
【０２０６】
特に、枠部に基部を固定して、連結部を用いて基部とハンドル部とを繋ぐ構成では、固定端から自由端までのスパンが長くなりやすい。この点、本特徴に示す構成によてば、固定端と自由端との間に支持位置を設けることができるため、上記固定端の負荷を好適に軽減できる。
【０２０７】
なお、本特徴については「前記開口部が前記連結部に対して少なくとも下側から当接することにより、前記連結部の変位を規制する」構成とすることも可能である。
【０２０８】
特徴Ｂ３．前記ハンドル部は前記連結部を介して前記検知手段に電気的に繋がっており、それらハンドル部、連結部によって前記検知手段用の信号伝達経路が構成されていることを特徴とする特徴Ｂ１又は特徴Ｂ２に記載の遊技機。
【０２０９】
特徴Ｂ３によれば、ハンドル部及び連結部自体が信号伝達機能を有していることにより（例えば導電性を有する部材で構成するとよい）、電気的構成（検知手段）を基部側に配置することによるデメリットを好適に解消できる。
【０２１０】
特徴Ｂ４．前記連結部は導電性部材によって形成されており、前記カバー部は非導電性部材によって形成されていることを特徴とする特徴Ｂ３に記載の遊技機。
【０２１１】
特徴３に示す効果を享受する上では、信号伝達機能を担保する必要がある。ここで、カバー部によって信号の伝達が遮られることは好ましくない。特に、特徴Ｂ２に示した効果を発揮する上では信号がカバー部側に逃げてしまうことは信頼性の向上の妨げとなるため好ましくない。そこで、本特徴に示すように、連結部を導電性部材によって形成しカバー部については非導電性部材（絶縁性部材）によって形成すれば、そのような不都合の発生を好適に回避できる。
【０２１２】
なお、特徴Ｂ１〜特徴Ｂ４に対して、上記特徴Ａ群に示した技術的思想を適用することも可能である。この場合、
以下に、以上の各特徴を適用し得る遊技機の基本構成を示す。
【０２１３】
パチンコ遊技機：遊技者が操作する操作手段（遊技球発射ハンドル４５）と、その操作手段の操作に基づいて遊技球を発射する遊技球発射手段（遊技球発射機構１１０）と、その発射された遊技球を所定の遊技領域に導く球通路（誘導レール１００）と、遊技領域内に配置された各遊技部品（釘８７等）とを備え、それら各遊技部品のうち所定の通過部（一般入賞口８１等）を遊技球が通過した場合に遊技者に特典を付与する遊技機。
【符号の説明】
【０２１４】
１０…遊技機としてのパチンコ機、１４…遊技機前面部を構成する前扉枠、２０ａ…枠体、２０ｂ…カバー体、２８ａ…上皿、４５…操作手段としての遊技球発射ハンドル、４６…ロックレバー、３１０…基部としてのベースユニット、３１１…取付ベース、３２０…ハンドル部としてのハンドルユニット、３２３…回動操作部材、３３０…連結部としての連結機構、３３１…ベース側連結部材、３３２…軸部、３３３…ベース側係合部、３３４…拡径部、３３５…開口部、３４１…ハンドル側連結部材、３４２…軸部、３４３…ハンドル側係合部、３４４…半球状部、３４５…開口部、３５１…押圧片。
【図１】
2015013064.tif 000003
【図２】
2015013064.tif 000004
【図３】
2015013064.tif 000005
【図４】
2015013064.tif 000006
【図５】
2015013064.tif 000007
【図６】
2015013064.tif 000008
【図７】
2015013064.tif 000009
【図８】
2015013064.tif 000010
【図９】
2015013064.tif 000011
【図１０】
2015013064.tif 000012
【図１１】
2015013064.tif 000013
【図１２】
2015013064.tif 000014
【図１３】
2015013064.tif 000015